(57)【要約】【課題】撮影又は録音等の記録が制限されている場所において利用者が意識することなく自動で記録機器の記録機能を制限状態に設定し、許容される条件での記録を可能とする記録機器、通信機器、記録システム及びその方法を提供する。【解決手段】撮影又は録音等を制限する撮影条件又は録音条件を他の通信機器から無線で受信することが可能な第１の通信手段（無線通信制御手段７６）と、受信した撮影条件又は録音条件に基づいて撮影又は録音を行う手段とを備えた。【選択図】  図２
2008236764.tif 000002
【特許請求の範囲】
【請求項１】
撮影を制限する撮影条件又は録音を制限する録音条件を他の通信機器から無線で受信することが可能な第１の通信手段と、
前記受信した撮影条件又は録音条件に基づいて撮影又は録音を行う手段と、
を備えたことを特徴とする記録機器。
【請求項２】
前記撮影条件は、全ての撮影を禁止する撮影条件、フラッシュの発光を禁止する撮影条件、所定の画素数以上での撮影を禁止する撮影条件、特定の機種の記録機器での撮影を禁止する撮影条件、撮影した画像に対して著作権を宣言する所定情報を挿入する撮影条件、撮影した撮影画像の圧縮条件、撮影した画像情報の分解能に関する条件又は撮影後に記録機器が発する発信音を制限する撮影条件等の条件であり、
前記録音条件は、全ての録音を禁止する録音条件、録音する音声情報の圧縮条件又は録音する音声情報の分解能に関する録音条件であることを特徴とする請求項１の記録機器。
【請求項３】
前記第１の通信手段は、撮影又は録音に関する利用料金の情報を無線で受信し、
前記受信した利用料金の情報、前記撮影条件又は前記録音条件に関する情報を表示する表示手段を備えたことを特徴とする請求項１又は２の記録機器。
【請求項４】
利用者が実施する撮影又は録音に関する利用料金の情報、前記撮影条件又は前記録音条件に関する承諾情報を入力する入力手段を備え、
前記第１の通信手段は、前記利用者が入力した承諾情報を他の通信機器に無線で送信することを特徴とする請求項３の記録機器。
【請求項５】
前記第１の通信手段は、利用者を特定する識別情報等の課金に必要な情報を前記承諾情報とともに他の通信機器に無線で送信することを特徴とする請求項４の記録機器。
【請求項６】
携帯電話等の通信機器から電話番号、暗証番号等の識別情報を無線で受信することが可能な第２の通信手段を備え、
前記第１の通信手段は、前記第２の通信手段が受信した識別情報を他の通信機器に無線で送信することを特徴とする請求項４又は５の記録機器。
【請求項７】
利用者が携行する記録機器による撮影を制限する撮影条件又は録音を制限する録音条件を記録する記録手段と、前記記録手段に記録されている前記撮影条件又は前記録音条件を前記記録機器に対して無線で送信することが可能な通信手段と、
を備えたことを特徴とする通信機器。
【請求項８】
利用者側から撮影又は録音に関する利用料金を受領する料金受領手段を備え、
前記通信手段は、前記料金受領手段が受領した料金に応じた撮影条件又は録音条件を前記記録手段から読み出して前記利用者が携行する記録機器に対して無線で送信することを特徴とする請求項７の通信機器。
【請求項９】
撮影又は録音に関する利用料金の情報、前記撮影条件又は前記録音条件に関する情報を利用者に対して表示する表示手段を備えたことを特徴とする請求項７又は８の通信機器。
【請求項１０】
前記通信手段は、前記記録機器に対して撮影又は録音に関する利用料金の情報を無線で送信することを特徴とする請求項７、８又は９の通信機器。
【請求項１１】
前記通信手段は、利用者側から撮影又は録音に関する課金情報を受信し、前記受信した課金情報に応じた撮影条件又は録音条件を前記記録手段から読み出して前記利用者が携行する記録機器に対して無線で送信することを特徴とする請求項７乃至１０のいずれか１に記載の通信機器。
【請求項１２】
撮影を制限する撮影条件又は録音を制限する録音条件を他の通信機器から無線で受信することが可能な第１の通信手段と、前記受信した撮影条件又は録音条件に基づいて撮影又は録音を行う手段とを備えた記録機器と、
前記記録機器による撮影を制限する撮影条件又は録音を制限する録音条件を記録する記録手段と、前記記録手段に記録されている前記撮影条件又は前記録音条件を前記記録機器に対して無線で送信することが可能な第２の通信手段とを備えた通信機器と、
からなることを特徴とする記録システム。
【請求項１３】
通信機器の記録手段に記録されている撮影条件又は録音条件であって、撮影又は録音を行う手段を備えた記録機器による撮影を制限する撮影条件又は録音を制限する録音条件を読み出して前記記録機器に対して無線で送信する工程と、
前記記録機器が、前記撮影条件又は録音条件を前記通信機器から無線で受信する工程と、
前記記録機器が、前記受信した撮影条件又は録音条件に基づいて撮影又は録音を行う工程と、
を含むことを特徴とする記録方法。
【発明の詳細な説明】
【技術分野】
【０００１】
本発明は、記録機器、通信機器、記録システム及びその方法に係り、特に他の通信機器からの指令により記録機器による撮影又は録音を制限することが可能な記録機器、通信機器、記録システム及びその方法に関する。
【背景技術】
【０００２】
従来のカメラでは撮影を実施するか否かは撮影者自身の判断に任されており、撮影が禁止されている場所であっても実際には撮影することは可能であった。
【０００３】
また、従来の録音装置では録音を実施するか否かは撮影者自身の判断に任されており、録音が禁止されている場所であっても実際には録音を実施することが可能であった。
【０００４】
また、特許文献１〜３には携帯電話等の外線発信を禁止するための方法が記載されている。
【特許文献１】特開平１０−９８７６５号公報
【特許文献２】特開平１０−１０７８７５号公報
【特許文献３】特開平１０−２４３４６２号公報
【発明の開示】
【発明が解決しようとする課題】
【０００５】
上述のように従来は、例えば重要文化財などのように一般者の撮影が禁止されている場合や、フラッシュを使用しての撮影が禁止されている美術品などのように撮影に関する制限が課せられている場合に、これを制限する方法がないという不具合を生じていた。
【０００６】
また、コンサート会場などのように一般者の録音が禁止されている場合に、これを禁止又は制限する方法がないという不具合を生じていた。
【０００７】
更に、美術品などの著作物については、著作権保護の観点から自由な撮影が禁止されていることが多い。従来これらの撮影に関する制限を利用者に守ってもらうには、監視体勢を敷くか利用者自身が自粛するなどして対応していたが、十分に守られてはいないという不具合を生じていた。
【０００８】
本発明はこのような事情に鑑みてなされたもので、撮影又は録音等の記録が制限されている場所において利用者が意識することなく自動で記録機器の記録機能を制限状態に設定し、許容される条件での記録を可能とする記録機器、通信機器、記録システム及びその方法を提供することを目的としている。
【課題を解決するための手段】
【０００９】
前記目的を達成するために請求項１に記載の発明は、撮影を制限する撮影条件又は録音を制限する録音条件を他の通信機器から無線で受信することが可能な第１の通信手段と、前記受信した撮影条件又は録音条件に基づいて撮影又は録音を行う手段とを備えたことを特徴としている。
【００１０】
本発明によれば記録機器は、撮影を制限する撮影条件又は録音を制限する録音条件を他の通信機器から無線で受信することが可能な第１の通信手段と、前記受信した撮影条件又は録音条件に基づいて撮影又は録音を行う手段とを備えたので、撮影又は録音等の記録が制限されている場所において利用者が意識することなく自動で記録機器の記録機能を制限状態に設定することが可能となる。
【００１１】
また、前記目的を達成するために請求項７に記載の発明は、利用者が携行する記録機器による撮影を制限する撮影条件又は録音を制限する録音条件を記録する記録手段と、前記記録手段に記録されている前記撮影条件又は録音条件を前記記録機器に対して無線で送信することが可能な通信手段とを備えたことを特徴としている。
【００１２】
本発明によれば通信機器は、利用者が携行する記録機器による撮影を制限する撮影条件又は録音を制限する録音条件を記録する記録手段と、前記記録手段に記録されている前記撮影条件又は前記録音条件を前記記録機器に対して無線で送信することが可能な通信手段とを備えたので、撮影又は録音等の記録が制限されている場所において利用者が携行する記録機器記録機器の記録機能を自動で制限状態に設定することが可能となる。
【発明の効果】
【００１３】
本発明に係る記録機器によれば、撮影を制限する撮影条件又は録音を制限する録音条件を他の通信機器から無線で受信することが可能な第１の通信手段と、前記受信した撮影条件又は録音条件に基づいて撮影又は録音を行う手段とを備えたので、撮影又は録音等の記録が制限されている場所において利用者が意識することなく自動で記録機器の記録機能を制限状態に設定することが可能となる。
【００１４】
また、他の発明の形態によれば通信機器は、利用者が携行する記録機器による撮影を制限する撮影条件又は録音を制限する録音条件を記録する記録手段と、前記記録手段に記録されている前記撮影条件又は録音条件を前記記録機器に対して無線で送信することが可能な通信手段とを備えたので、撮影又は録音等の記録が制限されている場所において利用者が携行する記録機器記録機器の記録機能を自動で制限状態に設定することが可能となる。
【００１５】
また、撮影によって悪影響を与える可能性がある場所、又は法的に撮影が禁止されている場所でカメラによる撮影を自動的に禁止することで、被写体を保護することが可能となる。また、カメラによる撮影の条件を自動的に制限することによって著作物の撮影を効果的に制限することが可能となり、著作権を確実に保護することが可能となる。また、カメラによる著作物の撮影を条件付きで許容することによって、著作物の条件付き撮影を広く利用することが可能となる。
【発明を実施するための最良の形態】
【００１６】
以下添付図面に従って、本発明に係る記録機器、通信機器、記録システム及びその方法の好ましい実施の形態について詳説する。
【００１７】
図１に、電子カメラによる撮影を制限することが可能な無線撮影システムを示す。
【００１８】
同図によれば、利用者が携行しており他の通信機器と無線通信を実施することが可能な記録機器の一形態である電子カメラ１０と、携帯電話１２と、美術館や博物館等において撮影が制限されている無線通信圏１４と、美術館や博物館等が提供するとともに前記電子カメラ１０及び携帯電話１２等の通信機器と無線通信圏１４にて情報を送受信することが可能な通信機器１６とが設けられている。
【００１９】
課金の条件付きで撮影が許可又は制限されている美術館又は博物館にて、利用者が撮影を希望する場合には、美術館又は博物館側に対して撮影に関する利用料金を支払って撮影の許可を受ける。通信機器１６は、利用料金を支払った利用者の電子カメラ１０を特定するとともに、電子カメラ１０に対して撮影条件や録音条件等の記録条件の情報を送信する。該撮影条件に関する情報を受信した電子カメラ１０は、指定された撮影条件に基づいて撮影の機能を限定して撮影することが可能となっており、利用者は特別に撮影条件を意識することなく撮影を実施することが可能となる。また、撮影が禁止されている美術館又は博物館では、無線の通信機器１６は電子カメラ１０対して撮影全ての撮影を禁止する記録条件を送信するので、利用者が撮影を希望しても電子カメラ１０による撮影を実施することができなくなる。
【００２０】
また、電子カメラ１０を利用して課金の条件付きで録音が許可又は制限されているコンサート会場で音声を録音する場合にも、上記の撮影の場合と同様に録音条件等の記録条件を通信機器１６から受信して、指定された録音条件に基づいた録音を実施することが可能となる。また同様に録音が禁止されている場所での録音は、通信機器１６から受信した記録条件により録音を実施することができなくなる。
【００２１】
図２に、本発明に係る電子カメラの信号処理系ブロック図を示す。
【００２２】
同図によれば、電子カメラ１０には、被写体の像を受光面に結像させて光電変換し、画像データとして出力する固体撮像素子等で構成された撮影手段である撮像手段６０と、撮像手段６０から出力されるアナログデータをデジタルデータに変換するＤ／Ａ変換器６１と、電子カメラ１０全体の制御を行うとともに画像データのサンプリングタイミング制御、画像データの記録及び送信制御、通信制御、表示制御、記録条件に基づいた撮影制御及び録音制御、待機状態の変更等の制御を行う情報処理手段（ＣＰＵ）６２と、撮像する画像の解像度を示す画素数を前記情報手段の指示に従って設定する画素数設定手段６３と、画像サイズの変更、シャープネス補正、ガンマ補正、コントラスト補正、ホワイトバランス補正等の処理を行う画像処理手段６４と、レリーズボタンや通信ボタン、送信ボタン、ファンクションスイッチ、十字キー、確定スイッチ、モード切り換えスイッチ等が設けられている。
【００２３】
また、電子カメラ１０には、利用者が実施する撮影又は録音に関する利用料金の情報や画像又は音声の記録条件に関する情報を入力することが可能な入力手段６８と、画像データ及び音声データを着脱可能な記録媒体３６に記録したり読み出したりするためにデータを変換する記録媒体インターフェース７４とが設けられている。記録媒体３６は、メモリーカードやＭＯ等の半導体、磁気記録、光記録に代表される着脱可能な記録媒体である。
【００２４】
情報処理手段６２には、電子カメラ１０の機種コード、製造番号等の固有の情報、動作プログラム、各定数、利用者を特定する識別情報等が記憶されているＲＯＭと、プログラム実行時の作業領域となる記憶手段であるＲＡＭと、画像データを一時的に記憶しておくフレームメモリにより構成されているメモリ７２が接続されている。また、情報処理手段６２は、他の通信機器から受信した記録条件の情報に基づいて画像データ等の情報を圧縮制御したり、圧縮したデータを伸張展開制御する処理を行う圧縮解凍手段の機能を備えている。
【００２５】
他の通信機器と情報を送受信する場合に用いる電子カメラ１０の無線の通信手段は、情報処理手段６２からの指令により画像データを搬送波に乗せて送信又は受信する無線通信制御手段７６と、搬送波及びデータを送受信するアンテナ３２とから構成されている。
【００２６】
前記無線の通信手段は、例えば記録媒体に記録されている画像データ又は音声データの送信、携帯電話等の他の通信機器から受信した電話番号や利用者を特定する固有の識別情報又は暗証番号等の送信、利用者が実施する撮影や録音に関する利用料金の情報及び記録条件に関する承諾情報等の送信を他の通信機器に対して実施することが可能となっている。
【００２７】
また、前記無線の通信手段は、撮影を制限する撮影条件や録音を制限する録音条件等の記録条件の受信、撮影又は録音に関する利用料金の情報の受信を実施することが可能となっている。また、携帯電話等の通信機器から電話番号や暗証番号等の情報を受信することが可能な他の通信手段を独立して備えてもよいし、同一の通信手段が双方の通信手段の機能を備えていてもよい。
【００２８】
また電子カメラ１０には、通信状況に関する情報や、撮影に関する利用料金の課金情報、承諾情報、撮影に関する制限情報及び撮影した画像等の情報を表示手段３８に表示するためのＤ／Ａ変換器７８と、撮影時の被写体の光量を補うために光を発行するフラッシュ等の発光手段４０と、前記発光手段４０か発行するタイミング及び発光光量を制御する発光制御手段８０と、記録した著作物の画像に対して電子透かしを挿入する電子透かし挿入手段８２と、電子カメラ１０の各制御手段に電源を供給する電源部８４と、音声を集音して情報処理手段６２を介して記録（又は録音）するためのマイク８６とが設けられている。
【００２９】
前記集音した音声情報は図示しないＡ／Ｄ変換器よってデジタルデータに変換して、通信機器１６から受信した記録条件に基づいて音声情報を圧縮したり、前記記録情報に基づいて音声情報の分解能を設定したりするようにしてもよい。
【００３０】
上記のとおり構成された電子カメラ１０の通信処理について説明する。電子カメラ１０の電源が投入されると無線通信制御手段７６は、通信機器１６が発する情報を受信して通信を確立する処理を行う。もしここで通信機器１６を認識しなかった場合には、通常の制限を受けない撮影条件で撮影を実施することが可能となる。また、通信機器１６を認識した場合には通信機器１６と以降の通信を実施するためのペアリングの処理を行い、撮影及び録音を制限する記録条件に関する情報を通信機器１６から受信して、該受信した情報をメモリ７２に記録する。
【００３１】
次に、電子カメラ１０の撮影処理について説明する。
【００３２】
撮影する像は撮像手段６０の受光面に結像され、結像した被写体像は光電変換及びＤ／Ａ変換されて画像処理手段６４に出力される。このようにして得られた画像データは、画素数設定手段６３にて記録条件に基づいた所定の記録画素数に設定され、画像処理手段６４にて増幅やノイズの低減処理が実施され、一時期メモリ７２に記憶する。情報処理手段６２は、メモリ７２に記憶されている画像データを逐次Ｄ／Ａ変換器７８に伝達して表示手段３８に表示している。
【００３３】
入力手段６８に設けられているレリーズボタンを押すと、被写体を撮影又は音声を録音するモードに入る。すると情報処理手段６２はメモリ７２に記憶されている記録条件に関する情報を読み出して撮影条件及び録音条件を設定する。もし記録条件にてフラッシュ等の発光が許可されている場合には、被写体の明るさに応じて発光手段４０を発光させて画像を撮像し、画像データをメモリ７２に一旦記憶する。メモリ７２に記憶した画像データを、情報処理手段６２が読み出すとともに記録条件に基づいた所定の記録条件で画像データの圧縮処理を実施して、記録媒体インターフェース７４を介して画像データ及び音声データを順次記録媒体３６に記録する処理を行う。また、記録媒体インターフェース７４を介して記録媒体３６に画像データ及び音声データを記録する代わりに、無線通信制御手段７６を介して他の通信機器に画像データ及び音声データを出力するようにしてもよい。
【００３４】
図３に通信機器１６の情報処理系ブロック図を示す。
【００３５】
同図によれば、通信機器１６の情報処理系には、通信機器１６の全体の制御や待機状態の変更等の制御を行う情報処理手段１２０と、情報処理手段１２０を動作させるプログラムや各種定数等が書き込まれているＲＯＭと情報処理手段１２０が処理を実行する際の作業領域となるＲＡＭとから構成されるメモリ１２２と、利用者に対して撮影又は録音に関する利用料金の情報又は記録条件に関する情報を表示して利用者に通知する表示手段及び利用者が各種情報を入力する入力手段との機能を備えたタッチパネル１０２と、取得した大量の画像、撮影情報、利用者が携行する記録機器による撮影や録音を制限する記録条件等の情報を記録するハードディスク等の記録手段１２８とが設けられている。
【００３６】
通信機器１６の情報入力系には、タッチパネル１０２の入力手段から入力された電子カメラ１０の利用者の暗証番号や識別情報等の情報を受信して情報処理手段１２０に送信する入力コントローラ１３２が設けられている。また、通信機器１６の画像信号処理系には、タッチパネル１０２の表示手段に表示する情報を逐次所定のフレームレートのビデオ信号に変換してタッチパネル１０２の表示手段に送信する表示コントローラ１３４が設けられている。
【００３７】
通信によって他の通信機器と情報を送受信する場合に用いる通信機器１６の無線の通信手段は、情報処理手段１２０からの指令により前記記録手段１２８に記録されている記録条件等の情報を記録機器に送信することが可能であるとともに、電子カメラ１０等の通信機器から各種の情報を受信することが可能な無線インターフェース１３６と、搬送波及びデータを送受信するアンテナ９２とから構成されている。
【００３８】
該無線の通信手段は、例えば電子カメラ１０から送信された画像データ又は音声データの受信、携帯電話等の他の通信機器が送信した電話番号又は利用者固有の暗証番号等の情報の受信、利用者が実施する撮影や録音に関する利用料金の情報及び記録条件に関する承諾情報等の受信を行うことが可能となっている。
【００３９】
また、該無線の通信手段は、例えば記録手段１２８に記録されている撮影を制限する撮影条件や録音を制限する録音条件等の記録条件の送信、撮影又は録音に関する利用料金の情報等の送信を実施することが可能となっている。
【００４０】
また、通信機器１６は、料金挿入口を備えるとともに挿入された金銭の処理及び釣り銭に関する制御するコインマシン９４（料金受領手段）と、挿入された金額情報を情報処理手段１２０に伝達するとともに情報処理手段１２０から釣り銭情報を受信してコインマシン９４に出力するコインマシン制御手段１３８と、例えば他の通信機器から利用者側の撮影又は録音に関する課金情報を受信することが可能な有線の通信回線１４０を介して通信を実施する通信回線インターフェース１４２とが設けられている。
【００４１】
通信機器１６内の情報処理手段１２０と、メモリ１２２、入力コントローラ１３２、表示コントローラ１３４、記録手段１２８、無線インターフェース１３６、コインマシン制御手段１３８、通信回線インターフェース１４２を含む各周辺回路は、バス１２４で接続されており、情報処理手段１２０は各々の周辺回路を制御することが可能となっている。
【００４２】
電子カメラ１０と通信機器１６とが無線通信を行う際の通信手段は、電波、超音波、赤外線等を搬送波に用いた通信手段である。通信手段に赤外線を用いる場合には、広範囲な通信が可能な拡散光を用いた通信手段を利用すると操作性が向上する。
【００４３】
美術館や博物館、コンサート会場等における無線通信には、無線通信圏１４の範囲を限定する目的で通信距離が１０ｍ〜１００ｍ程度の比較的微弱な電波を利用するとよい。通信機器１６は、美術館や博物館、コンサート会場等において撮影を制限する必要のある場所に設けられており、常時接続先の通信機器を探索している。通信機器１６の設置場所は、通信を制御すべき領域のほぼ中心とする。電子カメラによる撮影を制限すべき領域が広範囲又は複数の部屋にわたる場合には、複数の通信機器１６を設置する。
【００４４】
図４は、電子カメラと通信機器とが実施する通信処理のフローを示す図表である。
【００４５】
同図に示すように通信機器１６は、最初のステップ１「無線送信、接続先サーチ」で無線通信を開始し、接続先の探索を開始する。ここでは、例えば通信機器１６は情報の送受信に電波を利用したマスターの通信機器として機能し、スレーブの通信機器（電子カメラ１０等の記録機器、携帯電話１２等）が、周波数ホッピングパターンと時間スロットとに同期するのを待つ処理を実施している。
【００４６】
次のステップ２「電源投入、撮影・通信モード」は、利用者が電子カメラ１０を携行して無線通信圏１４に入り、電子カメラ１０の処理モードを撮影可能なモードに設定した状態を示している。電子カメラ１０が撮影可能なモードに設定されると、電子カメラ１０は通信機器１６が発する同期信号に同期した応答を返す処理を行う。
【００４７】
次のステップ３「電子カメラ検知、無線接続確立」では、通信機器１６は電子カメラ１０からの応答に基づいて電子カメラ１０を検知するとともに、無線通信を確立して以降情報の送受信を実施することが可能としている。
【００４８】
次のステップ４「電子カメラ機種コード読み取り」では、通信機器１６は電子カメラ１０の機種コード、固有の番号等の情報を読み取り、通信機器１６の記録手段１２８に記録して次のステップ５「携帯電話を利用可能な場合、利用者特定情報の読み取り、課金情報伝送」に進む。
【００４９】
ステップ５から後述するステップ７までは、撮影に関する対価を支払う課金に関する処理を行っている。ステップ５では、例えば利用者が携行している電子カメラ１０又は携帯電話１２から利用者を特定する識別情報、クレジット番号、携帯電話の電話番号情報又は暗証番号等のユーザー情報とともに利用料金支払いに関する情報を受信する。そして、該美術館や博物館等における写真撮影に関する利用料金情報を送信する。また、通信機器１６が前記ユーザー情報を携帯電話１２から直接受信する代わりに、予め電子カメラ１０と携帯電話１２とが認証コードを設定して近距離の無線通信を実施して、電子カメラ１０が携帯電話１２から前記ユーザー情報を受信して通信機器１６に送信するようにしてもよい。
【００５０】
また、撮影に関する利用料金の支払い方法として、通信機器１６のタッチパネル１０２に撮影に関する利用料金や支払い方法に関する情報を表示して、利用者に利用料金を示す。利用料金の受領は、利用料金を直接コインマシン９４に投入してもらってもよいし、プリペイドカード等をコインマシン９４に装着してもらって利用料金を支払ってもらうようにしてもよい。
【００５１】
次のステップ６「課金の承諾選択」では、通信機器１６から受信した課金情報に基づいて、電子カメラ１０の表示手段３８上に、撮影が課金の対象となっていること及びその条件である課金情報や、撮影制限事項等の記録条件（撮影制限情報等）を表示して利用者に対して通知する。利用者は、表示された記録条件に基づいて所望の撮影条件の選択又は、課金条件の承諾情報を入力する。
【００５２】
利用者が撮影に関する課金条件を承諾しない場合（拒絶した場合）には、通信機器１６は電子カメラ１０に対して撮影を禁止する設定情報又は、所定の画素数以上での撮影を禁止する記録条件を記録手段１２８から読み出して送信する。また、利用者が承諾した利用料金等に応じた記録条件を記録手段１２８から読み出して、記録機器に送信するようにしてもよい。
【００５３】
また、利用者が撮影に関する課金条件を承諾すると、電子カメラ１０は通信機器１６に対して課金の承諾情報を送信する。撮影を制限する内容は、例えば全ての撮影及び記録を禁止する撮影の禁止、フラッシュの発光を伴う撮影の禁止、所定の解像度又は画素数を超える高画素での記録の禁止、電子カメラ１０の特定の機種（プロフェッショナル用のカメラ、一眼レフ等のカメラなど）での撮影の禁止又は制限、著作権を宣言する所定情報（電子透かし等）を画像データに挿入しての撮影の許可、撮影した撮影画像の圧縮条件との設定、撮影した画像情報の分解能に関する条件の設定、撮影後に記録機器が発する発信音の制限等である。
【００５４】
前記所定の解像度値を超える高画素での記録禁止とは、著作権を有する画像については、例えばカメラ側で１００万画素以上の記録を設定できなくする、または、自動的に１００万画素未満（ＶＧＡなど）の解像度に設定する等の撮影条件の規定である。
【００５５】
前記著作権を宣言する所定情報を画像データに挿入する手法とは、撮影は許可するが、記録される画像データ内に著作権を宣言する所定のコードを挿入して電子透かしを設ける等の手法である。電子透かしの挿入のしかたは、画像データ中に電子透かしをランダム化しての挿入、または画像圧縮時の変換処理後（ディスクリートコサイン変換あるいはＪＰＥＧ２０００で規定されているＷａｖｅｌｅｔ変換後）の画像データに挿入するなどである。この電子透かしの挿入は、撮影を許されるすべての条件又はケースにて挿入するようにしてもよい。
【００５６】
また、電子カメラ等の記録機器が音声記録機能を備えている場合には、その録音機能の禁止又は制限を実施するようにしてもよい。たとえばコンサート会場、あるいは特定の会議における録音を禁止又は録音に関して制限を設ける。この録音に関する制限は、録音の音質に関する記録方式（録音する音声情報の圧縮方式や圧縮条件、録音する音声情報のビット数などの分解能に関する条件等）の制限であってもよい。
【００５７】
電子カメラ１０から課金情報を受信した通信機器１６は、次のステップ７「課金の確認、撮影制限情報の伝送」にて課金に関する情報の確認情報や、記録条件等の情報を電子カメラ１０に対して送信する。次のステップ８「撮影制限情報の受信、セット」では、該課金に関する確認情報や記録条件等の各種情報を受信した電子カメラ１０は、受信した各種情報をメモリ７２に一時記憶するとともに記録条件等を表示手段３８に表示して利用者に通知する。そして電子カメラ１０の情報処理手段６２は、前記受信した記録条件の情報に基づいて撮影又は録音のモードを設定する。
【００５８】
次のステップ９「撮影」では、利用者の撮影記録指示及び設定された記録条件に基づいて、撮影及び録音を実施する。記録された画像は記録媒体３６に記録され、ステップ１０「撮影枚数情報伝送」にて撮影した画像の枚数や解像度、画像サイズ、記録時の圧縮率等の記録条件の情報は、電子カメラ１０から通信機器１６に送信される。
【００５９】
次のステップ１１「課金」では、前記撮影及び記録に関する情報を電子カメラ１０から受信した通信機器１６が、受信した撮影及び記録に関する情報に応じて利用料金を利用者側に課金する。
【００６０】
一連の撮影が終了すると、次のステップ１２「接続終了」にて電子カメラ１０及び通信機器１６は通信に関する処理を終了する。
【図面の簡単な説明】
【００６１】
【図１】電子カメラによる撮影を制限することが可能な無線の撮影システムを示す図
【図２】電子カメラの信号処理系のブロック図
【図３】通信機器の情報処理系のブロック図
【図４】電子カメラと通信機器とが実施する通信処理のフローを示す図表
【符号の説明】
【００６２】
１０…電子カメラ、１２…携帯電話、１４…無線通信圏、１６…通信機器、３２…アンテナ、３８…表示手段、４０…発光手段、６０…撮像手段、６２…情報処理手段、６３…画素数設定手段、６４…画像処理手段、６８…入力手段、７６…無線通信制御手段、８０…発光制御手段、８２…電子透かし挿入手段、８６…マイク、９２…アンテナ、１０２…タッチパネル、１２０…情報処理手段、１３６…無線インターフェース
【図１】
2008236764.tif 000003
【図２】
2008236764.tif 000004
【図３】
2008236764.tif 000005
【図４】
2008236764.tif 000006
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
撮影を制限する撮影条件であって、複数の撮影条件を他の通信機器から無線で受信することが可能な第１の通信手段と、
前記受信した撮影条件に基づいて撮影を行う手段と、
を備えたことを特徴とする記録機器。
【請求項２】
前記複数の撮影条件は、全ての撮影を禁止する撮影条件、フラッシュの発光を禁止する撮影条件、所定の画素数以上での撮影を禁止する撮影条件、特定の機種の記録機器での撮影を禁止する撮影条件、撮影した画像に対して著作権を宣言する所定情報を挿入する撮影条件、撮影した撮影画像の圧縮条件、撮影した画像情報の分解能に関する条件又は撮影後に記録機器が発する発信音を制限する撮影条件のうちの２以上の撮影条件であることを特徴とする請求項１の記録機器。
【請求項３】
前記第１の通信手段は、撮影に関する利用料金の情報を無線で受信し、前記受信した利用料金の情報、前記撮影条件に関する情報を表示する表示手段を備えたことを特徴とする請求項１又は２の記録機器。
【請求項４】
利用者が実施する撮影に関する利用料金の情報、前記撮影条件に関する承諾情報を入力する入力手段を備え、
前記第１の通信手段は、前記利用者が入力した承諾情報を他の通信機器に無線で送信することを特徴とする請求項３の記録機器。
【請求項５】
前記第１の通信手段は、利用者を特定する識別情報等の課金に必要な情報を前記承諾情報とともに他の通信機器に無線で送信することを特徴とする請求項４の記録機器。
【請求項６】
携帯電話等の通信機器から電話番号、暗証番号等の識別情報を無線で受信することが可能な第２の通信手段を備え、
前記第１の通信手段は、前記第２の通信手段が受信した識別情報を他の通信機器に無線で送信することを特徴とする請求項４又は５の記録機器。
【請求項７】
前記第１の通信手段は、録音を制限する録音条件を他の通信機器から無線で受信し、
前記受信した録音条件に基づいて録音を行う手段を備えたことを特徴とする請求項１乃至６のいずれか１に記載の記録機器。
【請求項８】
前記録音条件は、全ての録音を禁止する録音条件、録音する音声情報の圧縮条件又は録音する音声情報の分解能に関する録音条件のうち少なくとも１つの条件であることを特徴とする請求項７の記録機器。
【請求項９】
利用者が携行する記録機器による撮影を制限する撮影条件であって、複数の撮影条件を記録する記録手段と、
前記記録手段に記録されている前記複数の撮影条件を前記記録機器に対して無線で送信することが可能な通信手段と、
を備えたことを特徴とする通信機器。
【請求項１０】
利用者側から撮影に関する利用料金を受領する料金受領手段を備え、
前記通信手段は、前記料金受領手段が受領した料金に応じた撮影条件を前記記録手段から読み出して前記利用者が携行する記録機器に対して無線で送信することを特徴とする請求項９の通信機器。
【請求項１１】
撮影に関する利用料金の情報、前記撮影条件に関する情報を利用者に対して表示する表示手段を備えたことを特徴とする請求項９又は１０の通信機器。
【請求項１２】
前記通信手段は、前記記録機器に対して撮影に関する利用料金の情報を無線で送信することを特徴とする請求項９、１０又は１１の通信機器。
【請求項１３】
前記通信手段は、利用者側から撮影に関する課金情報を受信し、前記受信した課金情報に応じた撮影条件を前記記録手段から読み出して前記利用者が携行する記録機器に対して無線で送信することを特徴とする請求項９乃至１２のいずれか１に記載の通信機器。
【請求項１４】
前記記録手段は、利用者が携行する記録機器による録音を制限する録音条件を記録し、
前記通信手段は、前記記録手段に記録されている前記録音条件を前記記録機器に対して無線で送信することが可能なことを特徴とする請求項９乃至１３のいずれか１に記載の通信機器。
【請求項１５】
撮影を制限する撮影条件であって、複数の撮影条件を他の通信機器から無線で受信することが可能な第１の通信手段と、前記受信した撮影条件に基づいて撮影を行う手段とを備えた記録機器と、
前記記録機器による撮影を制限する撮影条件であって、複数の撮影条件を記録する記録手段と、前記記録手段に記録されている前記複数の撮影条件を前記記録機器に対して無線で送信することが可能な第２の通信手段とを備えた通信機器と、
からなることを特徴とする記録システム。
【請求項１６】
通信機器の記録手段に記録されている複数の撮影条件であって、撮影を行う手段を備えた記録機器による撮影を制限する撮影条件を読み出して前記記録機器に対して無線で送信する工程と、
前記記録機器が、前記撮影条件を前記通信機器から無線で受信する工程と、
前記記録機器が、前記受信した撮影条件に基づいて撮影を行う工程と、
を含むことを特徴とする記録方法。
【手続補正２】
【補正対象書類名】明細書
【補正対象項目名】０００９
【補正方法】変更
【補正の内容】
【０００９】
前記目的を達成するために請求項１に記載の発明は、撮影を制限する撮影条件であって、複数の撮影条件を他の通信機器から無線で受信することが可能な第１の通信手段と、前記受信した撮影条件に基づいて撮影を行う手段とを備えたことを特徴としている。
【手続補正３】
【補正対象書類名】明細書
【補正対象項目名】００１０
【補正方法】変更
【補正の内容】
【００１０】
本発明によれば記録機器は、撮影を制限する撮影条件であって、複数の撮影条件を他の通信機器から無線で受信することが可能な第１の通信手段と、前記受信した撮影条件に基づいて撮影を行う手段とを備えたので、撮影の記録が制限されている場所において利用者が意識することなく自動で記録機器の記録機能を制限状態に設定することが可能となる。
【手続補正４】
【補正対象書類名】明細書
【補正対象項目名】００１１
【補正方法】変更
【補正の内容】
【００１１】
また、前記目的を達成するために請求項９に記載の発明は、利用者が携行する記録機器による撮影を制限する撮影条件であって、複数の撮影条件を記録する記録手段と、前記記録手段に記録されている前記複数の撮影条件を前記記録機器に対して無線で送信することが可能な通信手段とを備えたことを特徴としている。
【手続補正５】
【補正対象書類名】明細書
【補正対象項目名】００１２
【補正方法】変更
【補正の内容】
【００１２】
本発明によれば通信機器は、利用者が携行する記録機器による撮影を制限する撮影条件であって、複数の撮影条件を記録する記録手段と、前記記録手段に記録されている前記複数の撮影条件を前記記録機器に対して無線で送信することが可能な通信手段とを備えたので、撮影の記録が制限されている場所において利用者が携行する記録機器の記録機能を自動で制限状態に設定することが可能となる。
【手続補正６】
【補正対象書類名】明細書
【補正対象項目名】００１３
【補正方法】変更
【補正の内容】
【００１３】
本発明に係る記録機器によれば、撮影を制限する撮影条件であって、複数の撮影条件を他の通信機器から無線で受信することが可能な第１の通信手段と、前記受信した撮影条件に基づいて撮影を行う手段とを備えたので、撮影の記録が制限されている場所において利用者が意識することなく自動で記録機器の記録機能を制限状態に設定することが可能となる。
【手続補正７】
【補正対象書類名】明細書
【補正対象項目名】００１４
【補正方法】変更
【補正の内容】
【００１４】
また、他の発明の形態によれば通信機器は、利用者が携行する記録機器による撮影を制限する撮影条件であって、複数の撮影条件を記録する記録手段と、前記記録手段に記録されている前記複数の撮影条件を前記記録機器に対して無線で送信することが可能な通信手段とを備えたので、撮影の記録が制限されている場所において利用者が携行する記録機器の記録機能を自動で制限状態に設定することが可能となる。